(57)【要約】      （修正有）【課題】構造および取り扱い方が簡単で、一般家庭で使用する小型の空き缶つぶし器を得る。【解決手段】板の両端につぶす空き缶のストッパー３ａ、３ｂを取付けて本体部１を形成し、リンク４を介して缶つぶし用板２を接続する。空き缶の中間に缶つぶし板の先端２ａを当てて缶の中央部分を潰す。胴体部がつぶれて缶の上部と下部がハの字型になった空き缶を、本体部１と缶つぶし用板２の間に挟み、板２の上面に足を乗せ体重をかけて踏みつけることによって、一層扁平に空き缶をつぶす。【選択図】図６
2015229190.tif 000002
【特許請求の範囲】
【請求項１】
図１で示す長方形の板状の本体部の両端の上面に空き缶の移動を止めるストッパーを設け、缶つぶし用の板はストッパー間に入る長さで、幅は本体部とほぼ同じ幅で缶を潰す側の先端（２ａ）の角を半円状に加工してある。本体部と缶つぶし用の板を重ね、空き缶つぶし器として機能するためのリンクはストッパー（３ａ）側の缶つぶし用板の先端からつぶす缶の直径より数ｍｍ短い位置に缶つぶし用板の両側面を直角に貫通する穴を設け、直径が数ｍｍの金属棒を貫通して支点とする。貫通させた金属棒を缶つぶし用板の両側面に沿う様に直角に曲げ、また、直角に曲げた位置からつぶす缶の直径より数ｍｍ長めの位置で下方に向けてほぼ直角に曲げ、本体部の板厚の中央部と交わる位置で缶つぶし用板を貫通させた穴と平行になるように直角に曲げて数ｃｍの長さで切断して、本体部に缶つぶし板を重ねた状態で金属棒を本体部に回転可能に加工した穴に挿入して本体部側の支点とする空き缶つぶし器の構造。
【請求項２】
図９に示す本体部と缶つぶし用板を接続している両側面のリンクを金属板でＬ字型に２枚作り、２枚のＬ字型の先端部に穴を明けて、その穴をモクネジ等で本体部１、缶つぶし板に（７ａ），（７ｂ）及び（７ｃ）、（７ｄ）に回転可能に取り付けて支点とした空き缶つぶし器の構造。
【請求項３】
図１０に示す本体部と缶つぶし用板を接続している両側面のリンクを金属板で直線的に２枚作り、２枚の先端部に穴を明けて、その穴をモクネジ等で本体部及び缶つぶし板に回転可能に取り付けて支点とした空き缶つぶし器の構造。
【発明の詳細な説明】
【技術分野】
【０００１】  本発明は缶入りビール等のアルミ製の空き缶を容易につぶす事ができる、構造の簡単な空き缶つぶし器に関する。
【背景技術】
【０００２】  空き缶をつぶす装置は各種工夫した物があり、例えば、空き缶を垂直方向につぶす装置は特開２００６−２８９４９９（特許文献１）、空き缶を横方向につぶす装置は実用新案公開平６−４８９９１（特許文献２）等があるが構造が複雑の上、作業が難しい等の問題点が有った。【０００３】  最近は各家庭が廃棄するゴミを分別回収して資源の再利用をする事が一般的であり、自治体によっては厳しく義務付けをしている所も多数ある。分別回収をするゴミの中でも缶入りビール等のアルミ缶の分別回収は資源の再利用としても有効である。ただし、アルミ缶等は容積が大きいため、ゴミ回収車の効率も低下し、各家庭での分別回収用の容器に効率良く入れられない等の問題もあった。
【先行技術文献】
【特許文献】
【０００４】
【特許文献１】特許公開２００６−２８９４９９
【特許文献２】実用新案公開平６−４８９９１
【非特許文献】
【０００５】
【非特許文献１】インターネットソフト「ｙａｈｏｏ．ｃｏ．ｊｐ」にて「空き缶つぶし」と入力して検索をする。表示された「空き缶つぶしアマゾン公式サイト」をクリックすると空き缶つぶし器の各社のカタログが表示される。
【発明の概要】
【発明が解決しようとする課題】
【０００６】  家庭で缶入りビール等のアルミ製空き缶をつぶす方法には、缶を垂直方向からハンマーやテコを使って力を加える方法や、缶の側面から力を加えて缶胴をつぶす方法または、動力を使用するもの等、各種の構造の空き缶つぶし器が作られている。しかし、強い力を必要とするものや構造が複雑なものが多く、また、動力を使う装置は高価になるという問題もある。【０００７】  家庭で日常的に手軽に空き缶をつぶすには、構造および取り扱い方が簡単で強い力を必要としない小型なものが望ましい。本発明の空き缶つぶし器は、前述の望ましい形態を満たし、かつ、つぶされた空き缶は極めて扁平になり容積が小さくなり、各家庭での廃棄予定の空き缶の保管、資源の再利用のための空き缶回収の効率化を目的としている。
【課題を解決するための手段】
【０００８】本発明は図１で示すとおり、長方形の板状の本体部（１）の上面の両端にストッパー（３ａ）、（３ｂ）を設け、そのストッパー間に収まる本体部（１）とほぼ同じ幅の缶つぶし板（２）を重ね、金属棒を曲げて製作したＬ字型リンク（４）で２枚の板を接続した簡単な構造である。
【発明の効果】
【０００９】  小型で取り扱い易く強い力も必要とせず極めて扁平に空き缶をつぶすことができる。【００１０】  本体部分（１）と缶つぶし板（２）の材質は木製、樹脂、アルミ等の金属の比較的に安価な材料で製作が可能である。【００１１】  家庭における廃品分別回収用の袋等に効率よく入れられるのでつぶした缶の保管や、分別回収の効率も良くなる事が期待できる。【００１２】缶つぶし器を使用しない時はほぼ２枚の板が重なっただけの容積のため保管が容易である。
【図面の簡単な説明】
【００１３】
【図１】缶つぶし器の立体図である。
【図２】缶つぶし器の平面図である。
【図３】作動状態を示している側面図である。
【図４】缶つぶし板を垂直にした時の作動状態を示している側面図である。
【図５】つぶす空き缶を本体部に設置した側面図である。
【図６】缶つぶし用板の２ｂ側を持ち上げ缶の胴体つぶした側面図である。
【図７】胴体部をつぶした缶の上に缶つぶし板を載せた時の側面図
【図８】缶１０をつぶした状態の側面図である。
【図９】リンク４をＬ形金属板で作った場合の側面図である。
【図１０】リンク４を直線形の金属板で作った場合の側面図である。
【発明を実施するための形態】
【００１４】  本発明の空き缶つぶし器は、図１で示す長方形の板状の本体部（１）の上面の両端に空き缶の移動を止めるストッパー（３ａ）と（３ｂ）を設け、缶つぶし用の板（２）はストッパー（３ａ）と（３ｂ）の間に落とし込める長さで本体部（１）とほぼ同じ幅で先端（２ａ）を半円状に加工してある。本体部（１）と缶つぶし用の板（２）を重ね、空き缶つぶし器として機能するためのリンク機構（４）はストッパー（３ａ）側の缶つぶし用板（２）の先端からつぶす缶の直径より数ｍｍ短い位置に缶つぶし用板（２）の本体部の両側面を貫通する穴（７）を設け、直径が３〜４ｍｍ位の丈夫な金属棒を貫通して、板（２）の両側面に沿う様に直角に（７ａ）、（７ｃ）で曲げ、また、（７ａ）、（７ｃ）からつぶす缶の直径より数ｍｍ長めの位置（７ｅ）、（７ｆ）で下方に向けてほぼ直角に曲げ、缶つぶし用の板（２）の板厚とほぼ同じ位の位置（７ｂ）、（７ｄ）で缶つぶし用板（２）を貫通させた穴（７）と平行になるように直角に曲げてから２〜３ｃｍ位の長さで切断して、板状の本体（１）に２〜３ｃｍの金属棒が入るように加工した穴（８）、（９）に回転可能に挿入して金属棒（４）及び缶つぶし板（２）の支点とする構造である。
【００１５】  空き缶つぶし器の作用は図３で示すように、本体部（１）を水平に置き、缶つぶし用板（２）のストッパー（３ｂ）側の（２ｂ）を上方に持ち上げリンク（４）の本体部（１）側の接続用穴、（９）に挿入してある部分を支点にして缶つぶし用板（２）が図４のごとく垂直になるまで（２ｂ）側を上方に移動させる。この時の缶つぶし用板（２）の最下部（２ａ）と本体部（１）の上面との間につぶされた缶の胴体を挟むことが出来る数ｍｍの隙間（ｃ）ができる。
【００１６】  具体的な空き缶つぶし器の使用方法は、図５に示すように水平に置いた本体部（１）の板の上につぶす空き缶（１０）を水平に置き、リンク（４）を介して接続している缶つぶし用板（２）の間に挟み水平に置いた空き缶（１０）の中間につぶし板の先端（２ａ）を当てて反対側の（２ｂ）を上側に持ち上げると缶つぶし板の（２ａ）の部分が図６の如く缶の中央部分を潰す。この状態でつぶし板の（２ｂ）の部分を（２ａ）側の空き缶が本体（１）に圧着するように力を入れながらリンク機構（４）の支点（７ａ）及び缶つぶし板（２ｂ）を左右に動かして缶の上側及び底部をストッパー（３ａ）、（３ｂ）に圧着させて缶の潰れた部分を広げる。
【００１７】  胴体部がつぶれて缶の上部と下部がハの字型になった空き缶を、図７のように本体部（１）と缶つぶし用板（２）の間に挟み、板（２）の上面に足を乗せ体重をかけて踏みつけることによって、本体部（１）のリンク（４）との接続部（７ｂ）を支点にして缶つぶし用板（２）が缶をつぶして下方に移動し、また、缶つぶし用板（２）のリンク（４）の接続部（７ａ）を支点としてストッパー（３ａ）側と（３ｂ）側に交互に体重を移動させることによって一層扁平に図８に示すように空き缶をつぶすことを特徴とする。
【００１８】  前記の如く、水平に置いた本体部（１）と缶つぶし用板（２）を接続しているリンク機構（４）の（７ａ）と（７ｂ）の間が一直線の構造の場合は空き缶を挟みつぶした時、扁平につぶされた缶の一部分が横方向に突出してリンク（４）と接触する事がある。この接触を避けるため、缶の一部が突出してもリンク（４）に接触しないように双方のリンク（４）が缶つぶし板の側面に位置するようＬ字型に形成されている事を特徴とする。
【実施例１】
【００１９】  図１で示す長方形の板状の本体部（１）の上面の両端にストッパー（３ａ）、（３ｂ）を設け、そのストッパー間に収まる本体部（１）とほぼ同じ幅の缶つぶし板（２）を重ね、金属棒の（７ａ）と（７ｅ）、（７ｃ）と（７ｆ）の長さをつぶす缶の直径より少し長いＬ字形リンク（４）として成形し、２枚の板の穴（７）と穴（８）、（９）に支点として挿入接続した構造である。
【実施例２】
【００２０】  図９に示すように本体部（１）と缶つぶし用板（２）を接続している両側面のリンク（５ａ），（５ｂ）を金属板でＬ字型に２枚作り、それぞれのＬ字型の最端部に穴を明けて、その穴をモクネジ等で本体部（１）、缶つぶし板（２）に（７ａ），（７ｂ）及び（７ｃ）、（７ｄ）に回転可能に固定して、かつその固定した４個所を支点として、本体部（１）と缶つぶし板（２）とを連結し空き缶つぶし器を形成する事も可能である。また、図１０に示すように、図９のＬ字型リンクを直線的な形のリンクに形成することも可能である。
【符号の説明】
【００２１】  １…本体部
２…缶つぶし用板
３ａ、３ｂ…ストッパー
４…金属棒の一体型リンク
５ａ、５ｂ…金属板のＬ字型リンク
６ａ、６ｂ…金属板の直線型リンク
７…金属棒のリンクを通す穴
７ａ、７ｂ、７ｃ、７ｄ…リンクの支点
７ｅ、７ｆ…リンクの曲がり部
８…金属棒のリンクを通す穴
９…金属棒のリンクを通す穴
１０…つぶす空き缶
【図１】
2015229190.tif 000003
【図２】
2015229190.tif 000004
【図３】
2015229190.tif 000005
【図４】
2015229190.tif 000006
【図５】
2015229190.tif 000007
【図６】
2015229190.tif 000008
【図７】
2015229190.tif 000009
【図８】
2015229190.tif 000010
【図９】
2015229190.tif 000011
【図１０】
2015229190.tif 000012